(57)【要約】【課題】測定対象者の行動パターンを、把握しやすい出力態様で提示することができる出力装置を実現する。【解決手段】本発明の行動パターン提示装置１は、測定対象者の行動態様に起因して生じる振動回数と振動強度とを検出し、この行動態様を示す表示データを出力するものであり、振動回数および振動強度に応じて規定された表示色となるように表示データを生成する表示制御部２４と、生成した表示データを、振動回数と振動強度との検出順に時系列で出力する出力処理部４と、を備える。【選択図】図１
2008000283.tif 000002
【特許請求の範囲】
【請求項１】
測定対象者の行動態様に起因して生じる、複数種類の振動情報を検出し、該測定対象者の行動態様の相違を、色および出力濃度のうちの少なくとも１つで示す行動態様情報を出力する出力装置であって、
上記振動情報の種類ごとに、該振動情報の値に応じた、色および出力濃度のうちの少なくとも１つの出力状態を規定するパラメータが設定されており、
検出した振動情報に基づき、該振動情報の種類ごとに設定された上記パラメータにより規定された出力状態をそれぞれ組み合わせて、上記行動態様情報を生成する生成手段と、
上記生成手段によって生成された行動態様情報を、上記振動情報の検出順に時系列で出力する出力手段と、を備えることを特徴とする出力装置。
【請求項２】
測定対象者の行動態様の類型である行動タイプと、該行動タイプを区別する振動情報との対応関係を示す行動タイプ情報を記憶する記憶装置と、
上記行動タイプ情報に基づき、他の行動タイプに切り替わる変化点を設定する変化点設定手段とを備え、
上記生成手段は、上記変化点設定手段によって設定された変化点となる振動情報の値の前後で、出力状態が異なるように、該出力状態を規定するパラメータの設定を変更させ、上記行動態様情報を生成することを特徴とする請求項１に記載の出力装置。
【請求項３】
特定の測定対象者の行動態様に関わる情報である特定測定対象者情報を受け付ける受け付け手段をさらに備え、
上記変化点設定手段は、上記受け付け手段によって受け付けた上記特定測定対象者情報に応じて、上記変化点を変更して設定することを特徴とする請求項２に記載の出力装置。
【請求項４】
上記複数種類の振動情報とは、測定対象者から検出した所定期間における振動の発生回数である振動回数と、該振動の大きさを示す振動強度であることを特徴とする請求項１〜３のいずれか１項に記載の出力装置。
【請求項５】
上記測定対象者の行動態様に起因して生じる振動情報とは、該測定対象者から検出した所定期間における振動の発生回数である振動回数を含んでおり、
上記行動タイプ情報は、行動タイプとして歩行と、振動情報として１０秒間の振動回数が３０〜５０回であるという情報とが対応付けられた情報であることを特徴とする請求項２に記載の出力装置。
【請求項６】
上記出力手段から出力された行動態様情報に基づく表示を行う表示部をさらに備え、
上記生成手段は、上記表示部の表示性能に応じて、生成した行動態様情報に対して、平均、選択、合成、間引き、およびフィルタ処理のうち、少なくとも１つの処理を行うことを特徴とする請求項１〜５のいずれか１項に記載の出力装置。
【請求項７】
測定対象者の行動態様に起因して生じる、複数種類の振動情報を検出し、該測定対象者の行動態様の相違を、色および出力濃度のうちの少なくとも１つで示す行動態様情報を出力する出力装置の制御方法であって、
上記振動情報の種類ごとに、該振動情報の値に応じた、色および出力濃度のうちの少なくとも１つの出力状態を規定するパラメータが設定されており、
検出した振動情報に基づき、該振動情報の種類ごとに設定された上記パラメータにより規定された出力状態をそれぞれ組み合わせて、行動態様情報を生成するステップと、
上記行動態様情報を生成するステップにより生成した行動態様情報を、上記振動情報の検出順に時系列で出力するステップと、を含むことを特徴とする出力装置の制御方法。
【請求項８】
請求項１〜６いずれか１項に記載の出力装置を動作させるための制御プログラムであって、コンピュータを上記各手段として機能させるための出力装置の制御プログラム。
【請求項９】
請求項８に記載の出力装置の制御プログラムを記録したコンピュータの読取り可能な記録媒体。
【発明の詳細な説明】
【技術分野】
【０００１】
本発明は、測定対象者の行動態様に起因して生じる振動情報を検出し、該測定対象者の行動態様を示す行動態様情報を出力する出力装置、出力装置の制御方法、出力装置の制御プログラム、出力装置の制御プログラムを記録した記録媒体に関するものである。
【背景技術】
【０００２】
近年、振動センサや脈波計測器などのように、常に人体状態を計測して人の健康を維持、向上させるための、いわゆる生体センサの開発が進んでいる。例えば、「Ａｍｂｕｌａｔｏｒｙ  ｍｏｎｉｔｏｒｉｎｇ」社製の「アクティグラフ（Ａｃｔｉｇｒａｐｈ）」は、振動センサを内蔵した腕時計型の体動取得装置で、生活パターン、不眠、あるいは注意欠陥／多動性障害（ＡＤＨＤ：Attention Deficit / Hyperactivity Disorder)の診断に使われている。
【０００３】
この「アクティグラフ」は、所定期間中での振動数等複数種類のデータを取得できるとともに、この取得したデータの種類ごとに棒グラフ、あるいは円グラフ等でデータの可視化を行うことができる。
【０００４】
このような生体情報を可視化する技術としては、例えば、消費エネルギーの推移を折れ線グラフで表示したり、行動パターン判定（ジョギング、散歩、安静）を行い、棒グラフの棒の濃淡を変化させて表示したりする手法が開示されている（例えば、特許文献１）。また、行動パターンの判定後に、該判定結果を表示領域に固定の表示色で描画するとともに、生理学データの表示領域を隣り合わせて表示する技術も開示されている（例えば、特許文献２）。
【０００５】
また、人体の状態を計測して運動種の形態（行動パターン）を判別する技術として、例えば、特許文献３では、進行方向加速度と、上下方向加速度とから、これら加速度の強度を算出するとともに、これら加速度の強度から運動種の形態を判別する体動検出装置が開示されている。
【特許文献１】特開２００５−２０５１６７号公報（２００５年８月４日公開）
【特許文献２】特開平１０−１３７２０８号公報（１９９８年５月２６日公開）
【特許文献３】特開平１１−４２２２０号公報（１９９９年２月１６日公開）
【発明の開示】
【発明が解決しようとする課題】
【０００６】
しかしながら、上記従来の構成では、センサ等から得た情報に基づき人の行動パターンを示す場合、該行動パターンを示す情報を評価者が把握しやすいように適切に表示させることができないという問題を生じる。
【０００７】
具体的には、上記した「アクティグラフ」では、データ種別毎にグラフが生成されるため、評価者は複数のグラフを見比べる必要が生じる。このため、特にデータ種が多い場合、「アクティグラフ」の計測値から得られた結果に対する理解等が困難となる。また画面の表示領域が複数のグラフで占有されることで各グラフが小さくなり評価者の認識力も低下するといった問題がある。
【０００８】
また、上記特許文献１では、例えば、数年間分の生活リズムデータの可視化において、折れ線グラフや棒グラフを用いており、生活リズムパターンなどの長期データに対する直感的な理解には向かない。また、上記特許文献２では、データ種別毎に独立の表示領域を設ける構成であるため、表示させるデータ種が多い場合は、表示領域が多種形成されることとなり、視認性が悪くなるといった問題が生じる。
【０００９】
このように、センサ等から得た情報に基づき人の行動パターンを示す場合、従来の技術では、該行動パターンを示す情報を評価者が把握しやすい出力態様で提示することができない。
【００１０】
本発明は、上記の問題点に鑑みてなされたものであり、その目的は、測定対象者の行動パターンを、把握しやすい出力態様で提示することができる出力装置、出力装置の制御方法、出力装置の制御プログラム、および出力装置の制御プログラムを記録した記録媒体を実現することにある。
【課題を解決するための手段】
【００１１】
本発明に係る出力装置は、上記した課題を解決するために、測定対象者の行動態様に起因して生じる、複数種類の振動情報を検出し、該測定対象者の行動態様の相違を、色および出力濃度のうちの少なくとも１つで示す行動態様情報を出力する出力装置であって、上記振動情報の種類ごとに、該振動情報の値に応じた、色および出力濃度のうちの少なくとも１つの出力状態を規定するパラメータが設定されており、検出した振動情報に基づき、該振動情報の種類ごとに設定された上記パラメータにより規定された出力状態をそれぞれ組み合わせて、上記行動態様情報を生成する生成手段と、上記生成手段によって生成された行動態様情報を、上記振動情報の検出順に時系列で出力する出力手段と、を備えることを特徴とする。
【００１２】
なお、上記行動態様とは、測定対象者の任意の状態であり、例えば、歩行中、走行中、乗り物に乗車中等、行動タイプの相違に応じてこの行動態様も変化することとなる。
【００１３】
また、行動態様の相違を色で示すとは、例えば色の相違、色の濃淡の相違によって示すことを含む。また、行動態様の相違を出力濃度で示すとは、例えば、表示領域において同一形状の表示パターンを複数配して示す場合は、該表示領域内における表示パターンの密度等の相違によって示すことを含む。
【００１４】
上記構成によると、生成手段を備えているため、検出した振動情報の種類ごとに応じたパラメータにより規定された出力状態をそれぞれ組み合わせた、上記行動態様情報を生成することができる。すなわち、測定対象者の行動に起因する振動情報を所定の出力状態に変換させ、該出力状態から測定対象者の行動態様を示唆することができる。
【００１５】
また、出力手段を備えているため、測定対象者の行動態様を示唆する行動態様情報を上記振動情報の検出順に時系列で出力することができ、行動態様の変化を示すことができる。
【００１６】
よって、本発明に係る出力装置は、測定対象者の行動パターンを、把握しやすい出力態様で提示することができるという効果を奏する。
【００１７】
また、本発明に係る出力装置は、上記した構成において、測定対象者の行動態様の類型である行動タイプと、該行動タイプを区別する振動情報との対応関係を示す行動タイプ情報を記憶する記憶装置と、上記行動タイプ情報に基づき、他の行動タイプに切り替わる変化点を設定する変化点設定手段とを備え、上記生成手段は、上記変化点設定手段によって設定された変化点となる振動情報の値の前後で、出力状態が異なるように、該出力状態を規定するパラメータの設定を変更させ、上記行動態様情報を生成するように構成されていることが好ましい。
【００１８】
上記構成によると、変化点設定手段を備えるため、行動タイプを区別する位置を特定することができる。また、生成手段が、上記変化点となる振動情報の値の前後で、出力状態が異なるように、該出力状態を規定するパラメータの設定を変更させることができるため、行動タイプの切り替わりを明確に示すことができる。
【００１９】
よって、本発明に係る出力装置は、測定対象者の行動パターンを、行動タイプの相違が区別できるような出力態様で提示することができる。
【００２０】
また、本発明に係る出力装置は、上記した構成において、特定の測定対象者の行動態様に関わる情報である特定測定対象者情報を受け付ける受け付け手段をさらに備え、上記変化点設定手段は、上記受け付け手段によって受け付けた上記特定測定対象者情報に応じて、上記変化点を変更して設定するように構成されていることが好ましい。
【００２１】
上記特定測定対象者情報とは、特定の測定対象者の身長、性別、年齢等、行動態様に影響を与える要素に関する情報である。
【００２２】
上記構成によると、上記変化点設定手段が、上記特定測定対象者情報に応じて、上記変化点を変更することができるため、特定の測定対象者の行動態様に応じた変化点とすることができる。
【００２３】
よって、本発明に係る出力装置は、特定の測定対象者の行動パターンを、行動タイプが区別できるような出力態様で評価者に提示することができる。
【００２４】
また、本発明に係る出力装置は、上記した構成において、上記複数種類の振動情報とは、測定対象者から検出した所定期間における振動の発生回数である振動回数と、該振動の大きさを示す振動強度であることが好ましい。
【００２５】
上記構成によると、振動情報が、所定期間の振動回数と振動強度であるため、振動回数から所定期間の歩数を、また振動強度から運動の激しさ、または消費カロリを示す指標を得ることができる。このため、これら振動回数と振動強度との組み合わせにより測定対象者の行動タイプを知ることができる。
【００２６】
また、本発明に係る出力装置は、上記した構成において、上記測定対象者の行動態様に起因して生じる振動情報とは、該測定対象者から検出した所定期間における振動の発生回数である振動回数を含んでおり、上記行動タイプ情報は、行動タイプとして歩行と、振動情報として１０秒間の振動回数が３０〜５０回であるという情報とが対応付けられた情報であることが好ましい。
【００２７】
人が歩行する場合、１０秒間に３０〜５０回の振動が生じる。このため、測定した振動回数が３０〜５０回である場合は、逆に測定対象者の行動パターンとして歩行を想定することができる。
【００２８】
すなわち、所定期間において生じる振動回数と、行動パターン、特には、１０秒間における振動回数の範囲（３０〜５０回）と、歩行という行動パターンとは関連性がある。そして、これら両者の対応関係を振動情報として含めている場合、測定した振動回数を歩行という行動パターンを特定する指標とすることができる。
【００２９】
また、本発明に係る出力装置は、上記した構成において、上記出力手段から出力された行動態様情報に基づく表示を行う表示部をさらに備え、上記生成手段は、上記表示部の表示性能に応じて、生成した行動態様情報に対して、平均、選択、合成、間引き、およびフィルタ処理のうち、少なくとも１つの処理を行うように構成されていることが好ましい。
【００３０】
上記構成によると、上記生成手段が、表示部の表示性能に応じて、生成した行動態様情報に対して、平均、選択、合成、間引き、およびフィルタ処理のうち、少なくとも１つの処理を行うことができるため、表示部に出力する行動態様情報のデータ量を適切なものとすることができる。このため、効率よく測定対象者の行動パターンを表示させることができる。
【００３１】
本発明に係る出力装置の制御方法は、上記した課題を解決するために、測定対象者の行動態様に起因して生じる、複数種類の振動情報を検出し、該測定対象者の行動態様の相違を、色および出力濃度のうちの少なくとも１つで示す行動態様情報を出力する出力装置の制御方法であって、上記振動情報の種類ごとに、該振動情報の値に応じた、色および出力濃度のうちの少なくとも１つの出力状態を規定するパラメータが設定されており、検出した振動情報に基づき、該振動情報の種類ごとに設定された上記パラメータにより規定された出力状態をそれぞれ組み合わせて、行動態様情報を生成するステップと、上記行動態様情報を生成するステップにより生成した行動態様情報を、上記振動情報の検出順に時系列で出力するステップと、を含むことを特徴とする。
【００３２】
よって、本発明に係る出力装置の制御方法は、測定対象者の行動パターンを、把握しやすい出力態様で提示することができるという効果を奏する。
【００３３】
なお、上記出力装置が備える各手段は、コンピュータによって実現してもよく、この場合には、コンピュータを上記各手段として動作させることにより上記出力装置をコンピュータにて実現させる出力装置の制御プログラムを記録したコンピュータ読取り可能な記録媒体も、本発明の範疇に入る。
【発明の効果】
【００３４】
本発明に係る出力装置は、以上のように、測定対象者の行動態様に起因して生じる、複数種類の振動情報を検出し、該測定対象者の行動態様の相違を、色および出力濃度のうちの少なくとも１つで示す行動態様情報を出力する出力装置であって、上記振動情報の種類ごとに、該振動情報の値に応じた、色および出力濃度のうちの少なくとも１つの出力状態を規定するパラメータが設定されており、検出した振動情報に基づき、該振動情報の種類ごとに設定された上記パラメータにより規定された出力状態をそれぞれ組み合わせて、上記行動態様情報を生成する生成手段と、上記生成手段によって生成された行動態様情報を、上記振動情報の検出順に時系列で出力する出力手段と、を備えることを特徴とする。
【００３５】
よって、本発明に係る出力装置は、測定対象者の行動パターンを、把握しやすい出力態様で提示することができるという効果を奏する。
【００３６】
本発明に係る出力装置の制御方法は、以上のように、測定対象者の行動態様に起因して生じる、複数種類の振動情報を検出し、該測定対象者の行動態様の相違を、色および出力濃度のうちの少なくとも１つで示す行動態様情報を出力する出力装置の制御方法であって、上記振動情報の種類ごとに、該振動情報の値に応じた、色および出力濃度のうちの少なくとも１つの出力状態を規定するパラメータが設定されており、検出した振動情報に基づき、該振動情報の種類ごとに設定された上記パラメータにより規定された出力状態をそれぞれ組み合わせて、行動態様情報を生成するステップと、上記行動態様情報を生成するステップにより生成した行動態様情報を、上記振動情報の検出順に時系列で出力するステップと、を含むことを特徴とする。
【００３７】
よって、本発明に係る出力装置の制御方法は、測定対象者の行動パターンを、把握しやすい出力態様で提示することができるという効果を奏する。
【発明を実施するための最良の形態】
【００３８】
本発明の一実施形態について図１ないし図１７に基づいて説明すると以下の通りである。すなわち、本実施の形態に係る行動パターン提示装置１は、測定対象者から検出した、振動回数と振動強度とに応じて、該測定対象者の行動態様を色で示し、行動パターンを提示する装置である。なお、行動態様とは、測定対象者の行動の様子であり、例えば、歩行中、走行中、乗り物に乗車中等、行動タイプの相違に応じてこの行動態様も変化することとなる。また、行動パターンとは、測定対象者の上記行動態様の変化を示すものである。
【００３９】
本実施の形態に係る行動パターン提示装置１は、図２に示すように測定対象者の腰部等、該測定対象者の行動態様の変化に応じて振動状態が変化する部位に装着され利用される。なお、この図２は、本実施の形態に係る行動パターン提示装置１の装着方法の一例を示す図である。
【００４０】
ところで、行動パターン提示装置１により検出した振動回数を縦軸、振動強度を横軸とし、２次元平面にマッピングした場合、図３（ａ）および図３（ｂ）に示すように、測定対象者の行動タイプに応じて振動回数と振動強度との組み合わせの分布が特定範囲となることがわかる。
【００４１】
これは、振動回数により測定対象者の運動時における歩数を、振動強度によって運動の激しさ、または消費カロリを示す指標とすることができ、これら２つの組み合わせにより測定対象者の行動態様が属する行動タイプを示すことができるということを意味する。
【００４２】
例えば、所定時間における歩行中の人から測定した振動強度と振動回数との関係は、図３（ａ）に示すように振動回数が３０〜５０の範囲に分布する。なお、この図３（ａ）では、０秒間における振動回数と振動強度との組み合わせの分布を示しており、振動回数を示す縦軸の１目盛は、１０回単位で設定されている。また、１歩進むにあたり、振動が２回生じるため、歩行中の人は、１０秒間に上記振動回数の半分である１５〜２５歩進むこととなる。
【００４３】
一方、乗り物に乗車中の人から測定した振動強度と振動回数との関係は、図３（ｂ）に示すように、振動強度が小さい領域に分布している。なお、図３は、測定対象から検知した振動回数と振動強度との関係を示すグラフであり、同図（ａ）は、歩行中の測定対象者から検知した振動回数と振動強度との関係を示し、同図（ｂ）は、乗り物に乗車中の測定対象者から検知した振動回数と振動強度との関係を示す。
【００４４】
このように、振動強度と振動回数との組み合わせによる分布は、人の行動タイプに応じて、例えば図４に示すように特定範囲に分類できる。この図４は、測定対象者の行動タイプごとに応じた、振動強度と振動回数との組み合わせの分布を示すグラフである。
【００４５】
より具体的には、運動強度に加え振動回数を考慮することにより乗り物と軽作業とを分離することができるようになり、振動回数に運動強度が考慮されることにより乗り物と歩行が分離できるようになる。このように分類される行動タイプの種類を増やすことが出来、より正確に行動タイプを判別できるようになる。
【００４６】
そこで、本実施の形態に係る行動パターン提示装置１では、上記した振動回数と振動強度との組み合わせを数値化し、該数値に対応する色の表示データに変換する。そして、この表示データによって、測定対象者の行動パターンを直感的に把握できるようにしている。
【００４７】
すなわち、本実施の形態に係る行動パターン提示装置１の有する大きな特徴は、測定対象者の行動タイプの判定を行うことなく、検出された振動回数および振動強度の値に基づき表示データを生成する。そして、この表示データにより行動態様を提示するとともに、該行動態様を時系列で表示することで、測定対象者の行動パターンを評価者が直感的に把握でき点である。
【００４８】
（行動パターン提示装置の構成）
以下において、本実施の形態に係る行動パターン提示装置１の構成について、図１および図５を参照して説明する。この図５は、本発明の実施形態を示すものであり、行動パターン提示装置１の要部構成を示すブロック図である。また、図１は、本発明の実施形態を示すものであり、「行動パターン提示処理」に係る行動パターン提示装置１の要部構成を示すブロック図である。
【００４９】
図５に示すように、本実施の形態に係る行動パターン提示装置１は、振動検出部２、入力部３、出力処理部４、主制御部５、表示装置６、および記憶装置７を備えてなる構成である。
【００５０】
上記振動検出部２は、当該行動パターン提示装置１を装着した測定対象者から振動を検出するものである。この振動検出部２は、例えば、加速度センサ等によって実現できる。振動検出部２は、検出した振動の値を主制御部５に送信する。
【００５１】
上記入力部３は、測定対象者からの情報を受け付ける入力手段であり、例えば、タッチパネル、キーボード、操作ボタン、操作キー、あるいはマウス等により実現できる。入力部３において受け付けた測定対象者からの情報は、主制御部５に出力される。本実施の形態に係る行動パターン提示装置１では、この入力される情報として、例えば、図６に示す、測定対象者の年齢、性別、および識別番号等を含む測定対象者情報８が挙げられる。なお、この情報として、さらに測定対象者の身長、体重、出身地域、または職業等の情報を含んでいてもよい。
【００５２】
また、本実施の形態に係る行動パターン提示装置１では、入力部３において、この測定対象者情報８の入力に際して、入力内容が確認できるように、入力すべき項目と内容とを表示する図７に示す入力画面が備えられている。
【００５３】
出力処理部４は、主制御部５からの制御指示に応じて、該主制御部５から受信した表示データ（行動態様情報・色情報）を表示装置６に出力し、表示させるように制御するものである。
【００５４】
表示装置６は、出力処理部４から出力された表示データに基づく表示を行うものであり、例えば、液晶、ＣＲＴ、有(無)機ディスプレイ等により実現できる。なお、本実施の形態に係る行動パターン提示装置１では、振動回数および振動強度に応じた色を表示する構成であるため、この表示装置６はカラーディスプレイが想定されている。
【００５５】
主制御部５は、行動パターン提示装置１が有する各部の各種処理を制御するものであり、例えばＣＰＵ等によって実現することができる。なお、この主制御部５の詳細な説明は後述する。
【００５６】
記憶装置７は、読み書き可能な記録媒体であり、例えばＨＤＤまたはフラッシュＥＥＰＲＯＭ等によって実現できる。この記憶装置７は、図５に示すように、振動検出部２によって検出された振動の値に基づき算出された振動情報１０、入力部３によって受け付けた測定対象者情報８、ならびに平均的な人の行動タイプと上記振動情報１０との対応関係を示す体動情報（行動タイプ情報）９を記憶している。
【００５７】
上記振動情報１０とは、検出された、所定期間における振動の大きさおよび振動回数を、この検出した時間と対応付けて記憶した情報である。
【００５８】
上記体動情報９とは、平均的な人の体動を示す情報であり、より具体的には、平均的な人の歩行、乗車中、または走行等の行動タイプと上記振動情報１０との対応関係を示す情報を含む。このため、この体動情報９を参照することにより、振動回数および振動強度の組み合わせから平均的な人の行動タイプに関する情報を取得することができる。
【００５９】
なお、図５に示す行動パターン提示装置１では、上記振動情報１０、測定対象者情報８、および体動情報９を同一の記憶装置７に記憶させているが、それぞれが別々に備えられた記憶装置７にそれぞれ記憶されている構成であってもよい。
【００６０】
次に、検出した振動情報１０を表示データに変換し、測定対象者の行動パターンを提示する「行動パターン提示処理」について詳細に説明する。まず、図１を参照して本発明に係る行動パターン提示装置１の構成について説明する。
【００６１】
（行動パターン提示処理に係る行動パターン提示装置１の構成）
図１に示すように、行動パターン提示装置１では、主制御部５が機能ブロックとして、取得部２２、振動情報算出部２１、表示設定部２３、および表示制御部２４を備えてなる構成である。なお、これら機能ブロックは、主制御部５が例えばＣＰＵの場合、該ＣＰＵが不図示のＲＯＭ等に格納されたプログラムを不図示のＲＡＭ等に読み出し実行することにより実現することができる。
【００６２】
上記取得部２２は、入力部３から入力された測定対象者情報８等の各種情報を取得するものであり、測定対象者情報８を取得すると記憶装置７に記憶させる。なお、この取得部２２は、上記測定対象者情報８のほかに、表示状態を試験的に変更させるためのテストデータ情報もあわせて記憶装置７に記憶してもよい。また、この取得部２２と入力部３とによって受け付け手段を実現する。
【００６３】
また、本実施の形態に係る行動パターン提示装置１では、特定の測定対象者に関する測定対象者情報８を記憶装置７に記憶する構成であるが、記憶装置７の記憶容量が大きい場合、さらに他の測定対象者の測定対象者情報８もあわせて記憶する構成であってもよい。このように、他の測定対象者の測定対象者情報８も予め記憶しておくことで、測定対象者が変わった場合わざわざ測定対象者情報８を入力する処理を省略することができる。
【００６４】
振動情報算出部２１は、振動検出部２が検知した振動に基づき、振動回数および振動強度を算出するものである。より具体的には、振動情報算出部２１は、図８（ａ）および図８（ｂ）に示すように、振動検出部２から出力される、帯域制限された検知結果に対して、任意の区間ごとにゼロ値（０・０Ｇ）を交差する振動回数、振動強度を算出する。
【００６５】
なお、この図８は、任意の区間における、振動検出部２による検知結果を示すグラフであり、同図（ａ）は、検知結果と振動回数との関係を示し、同図（ｂ）は、検知結果と振動強度との関係を示す。
【００６６】
例えば、図８（ａ）に示すように、振動検出部２による検出結果のＡＣ成分（例えば、ここでは２Ｈｚ〜３Ｈｚの帯域信号を想定する）を点線としたとき、上記振動回数は、所定の期間中（１０秒間とする）において０.０Ｇと交差する回数となる。つまり、振動回数は、図８（ａ）において「丸」で示した部分が交差する箇所であり、期間ａおよび期間ｂではそれぞれ１回、期間ｃでは２回となる。
【００６７】
なお、本実施の形態に係る行動パターン提示装置１では、この振動回数を算出する基準を、０．０Ｇとするが、例えば、「Ａｍｂｕｌａｔｏｒｙ  ｍｏｎｉｔｏｒｉｎｇ」社製の「アクティグラフ」のように、加速度センサの振動検出精度や雑音を考慮して正確に０.０Ｇではなく、０．０１Ｇ／ｒａｄ／ｓｅｃのようにオフセットを設けてもよい。一方、振動強度は、図８（ｂ）の斜線で示すように０.０Ｇと波形との間に囲まれた面積に相当する。
【００６８】
なお、一般的には、振動検出部２が、小刻みな揺れを検出すると振動回数が大きくなり、大きくゆれると振動強度が増す傾向にある。
【００６９】
振動情報算出部２１は、上記のようにして算出した振動回数および振動強度を振動情報１０として、振動検出部２による検出タイミングを示す時間と対応づけて記憶装置７に記憶させる。つまり、本実施の形態に係る行動パターン提示装置１は、図９に示すように、振動の検知開始時刻（時間）と、この時間に対応して振動回数、振動強度、および振動の測定期間が記録される。この図９は、本実施の形態に係る行動パターン提示装置１が記憶装置７に記憶する振動情報１０の一例を示す図である。
【００７０】
なお、振動情報１０では、上記した測定期間の時間間隔が予め決められている場合はこの測定期間に関する情報を省略してもよい。また、この記憶装置７における振動情報１０の記憶形式は、フレーム構成として検知開始時刻、およびデータ長をヘッダに設定する。
【００７１】
上記表示設定部２３は、測定対象者情報８と体動情報９とに基づき、表示制御部２４に対して、変化点情報３１を設定するものである。この変化点情報３１とは、評価者が直感的に測定対象者の行動パターンを把握できる表示とするための特徴付けを行う基準である。
【００７２】
例えば、振動回数を２Ｈｚから３Ｈｚの帯域信号に対するゼロ交差回数とする場合、平均的な人の歩行を示す行動タイプでは、１０秒間での振動回数の半分が、１０秒間における平均的な人の歩数である２０となる。
【００７３】
すなわち、図３（ａ）に示すように、歩行中の人から測定した１０秒間における振動回数は３０〜５０の間で分布し、歩数はその半分となるため、１０秒間における歩数は１５〜２５歩となり、その歩数の平均は、１５〜２５歩の中間値として２０歩と設定することができる。
【００７４】
そこで、表示設定部２３は、出力した表示状態（行動パターン）から歩行という行動タイプを、評価者が直感的に把握できるようにするための上記変化点情報３１として、２０という値を設定し、表示制御部２４に送信する。
【００７５】
上記表示制御部２４は、表示装置６において表示するための表示データを生成するものである。すなわち、上記表示制御部２４は、記憶装置７に記憶された振動情報１０と、表示設定部２３から受信した、上記変化点情報３１とに基づき、測定対象者の行動パターンを提示するための表示データを生成する。
【００７６】
この表示制御部２４は、上記表示データを生成するために、上記振動情報１０と、上記変化点情報３１とに基づき、測定対象者の行動態様を示す表示色を決定するための表示関数を、振動強度および振動回数ごとにそれぞれ有している。そして、表示制御部２４は、上記した表示関数を利用して得た振動強度および振動回数ごとの演算結果を、振動情報１０の検知開始時刻と対応づけて合成し、出力処理部４へ出力する。
【００７７】
ここで、上記表示関数について説明する。
【００７８】
上記表示装置６では、光の３原色を基本として赤色（Ｒ）、緑色（Ｇ）、青色（Ｂ）を混色させ適切な色を表現している。また、赤色、緑色、および青色それぞれの光量とこれら光量の相対値とによって、表現する色を変化させている。なお、赤色、緑色、および青色それぞれの光量は、例えば、各色の光量を１６進数で表現すると以下のように示すことができ、この場合、０ｘＦＦ×０ｘＦＦ×０ｘＦＦとおりの色表現が可能となる。
【００７９】
白色{Ｒ，Ｇ，Ｂ}＝{ＦＦ，ＦＦ，ＦＦ}
黒色{Ｒ，Ｇ，Ｂ}＝{００，００，００}
赤色{Ｒ，Ｇ，Ｂ}＝{ＦＦ，００，００}
緑色{Ｒ，Ｇ，Ｂ}＝{００，ＦＦ，００}
青色{Ｒ，Ｇ，Ｂ}＝{００，００，ＦＦ}
黄色{Ｒ，Ｇ，Ｂ}＝{ＦＦ，ＦＦ，００}
このように、本実施の形態に係る行動パターン提示装置１では、表示装置６に表示する表示色を赤色、緑色、および青色で表現する構成である。このため、表示制御部２４が有する表示関数は、これら赤色、緑色、および青色それぞれの光量を調整するための、赤色表示関数、緑色表示関数、および青色表示関数の３つとなる。
【００８０】
なお、この表示関数は、任意の多項式関数で実施されてもよく、振動回数用、および振動強度用の表示関数は１つの多項式関数で実施されてもよい。
【００８１】
（表示データ生成処理）
次に、上記した表示関数を利用して、振動情報１０に基づき表示データを生成する表示制御部２４の処理について図１０〜図１４を参照して説明する。まず前提として、記憶装置７には、振動情報１０が、該振動情報１０の検知開始時刻に応じて時系列に記憶されている。そして、図１０に示す記憶装置７において、この振動情報１０は、検知開始時刻が古い順にｄ１、ｄ２、ｄ３…として格納されている。図１０は、本発明の実施形態を示す図であり、表示データ生成処理に係る行動パターン提示装置１の要部構成を示す図である。
【００８２】
ここで、表示設定部２３から上記変化点情報３１（例えば２０カウント）が入力されると、表示制御部２４は、表示関数（赤色関数、緑色関数、青色関数）それぞれを、以下のようにして修正する。
【００８３】
上記表示設定部２３から、変化点情報３１として「２０」という値を受信すると、表示制御部２４は、図１１（ａ）〜図１１（ｃ）に示すように、赤色の表示関数を、振動回数が２０カウントを示す点を起点として赤色の光量が増加するように変更させる。また、表示制御部２４は、緑色の表示関数を、光量を抑えたままとし、青色の表示関数を、振動回数が２０カウントまでは青色の光量が増すようにし、２０カウント以上となれば、青色の光量を抑えように修正する。
【００８４】
なお、図１１は、赤色、緑色、および青色それぞれの表示関数における振動回数と光量との関係の一例を示すグラフであり、同図（ａ）は、赤色表示関数における振動回数と光量との関係を示し、同図（ｂ）は、緑色表示関数における振動回数と光量との関係を示し、同図（ｃ）は、青色表示関数における振動回数と光量との関係を示す。
【００８５】
すなわち、表示設定部２３から、上記変化点情報３１として「２０」という値が設定された場合、赤色、緑色、および青色それぞれの各色の表示関数は下記に示す関係式のようになる。なお、下記式では最大光量を１となるようにし、振動回数を変数ａで表す。
【００８６】
［振動回数］
赤色関数：ｆｒ（ａ）＝０；  ０≦ａ≦２０
ｆｒ（ａ）＝ａ／２０−１；  ２０＜ａ≦４０
ｆｒ（ａ）＝１；  ４０＜ａ
緑色関数：ｆｇ（ａ）＝０
青色関数：ｆｂ（ａ）＝ａ／２０；  ０≦ａ≦２０
ｆｂ（ａ）＝０；  ２０＜ａ≦∞
一方、振動強度の情報についても、振動強度を変数ｂとし最大光量を１となるよう設定すると、例えば下記に示すように、赤色、緑色、および青色それぞれの表示関数を、決定することができる。つまり、図１２（ａ）〜図１２（ｃ）に示す例では、振動強度が大きくなるにつれ緑色の光量が大きくなっており、表示色において、緑色の要素が強くなるにつれ震動強度が大きい走行等の行動タイプに推移していることを評価者は直感的に判断することができる。そして、図１２（ａ）〜図１２（ｃ）に示すように赤色、緑色、および青色それぞれの各色の光量を変化させる。
【００８７】
なお、図１２は、赤色、緑色、および青色それぞれの表示関数における振動強度と光量との関係を示すグラフであり、同図（ａ）は、赤色表示関数における振動強度と光量との関係を示し、同図（ｂ）は、緑色表示関数における振動強度と光量との関係を示し、同図（ｃ）は、青色表示関数における振動強度と光量との関係を示す。
【００８８】
［振動強度］
赤色関数：ｆｒ（ｂ）＝０
緑色関数：ｆｇ（ｂ）＝ｘ／４０；  ０≦ｂ≦４０
ｆｇ（ｂ）＝１；  ４０＜ｂ
青色関数：ｆｂ（ｂ）＝０
このように、上記変化点情報３１を受信し、振動回数および振動強度のそれぞれの表示関数を修正することで、例えば歩行といった行動タイプを直感的に把握できるように表示色を変化させることができる。
【００８９】
ところで、上記した振動強度および振動回数それぞれの表示関数は、測定対象者による個体差を考慮したものではない。つまり、図４に示すように振動回数と振動強度とによって示される分布と、該分布に対応する行動タイプとの関係は、個人によって差（ばらつき）がある。
【００９０】
そこで、本実施の形態に係る行動パターン提示装置１では、測定対象者に応じた行動タイプを反映した表示となるように、以下のようにして表示関数を修正して表示データを出力するように構成されている。
【００９１】
例えば、第六次改定「日本人の栄養所要量」（１９９９)によると５０歳以上男性の基礎代謝基準値（ｋｃａｌ／ｇ／日）は、１８〜２９歳のそれに比べて、約８．８割程度であることが知られている。そこで、１８〜２９歳の基礎代謝基準値を、平均的な人の基礎代謝基準値とし、測定対象者が５０歳以上である場合、該測定対象者の年齢を反映した表示とするために、表示設定部２３は前記２０カウントを２０×８．８割＝１７．６として変更する。このように、表示設定部２３は、測定対象者情報８を用いて、上記変化点情報３１を変更することができる。
【００９２】
このように測定対象者情報８が反映された、変化点情報３１に基づく各色の光量変化は以下のようになる。すなわち、振動回数に関しては、図１３（ａ）〜図１３（ｃ）に示すように、振動回数が１７．６カウントを起点として赤色の光量が増加するように、赤色の表示関数を変更させる。また、緑色の表示関数では、光量を抑えたままとし、青色の表示関数では、振動回数が１７．６カウントまでは青色の光量が増すようにし、１７．６カウント以上となれば、この光量を抑えように修正する。
【００９３】
また振動強度に関して図１４（ａ）〜図１４（ｃ）のように上記した図１２（ａ）〜図１２（ｃ）に示す光量の変化と同様となるように、赤色、緑色、および青色それぞれの表示関数を設定する。
【００９４】
なお、図１３は、赤色、緑色、および青色それぞれの表示関数における振動回数と光量との関係の一例を示すグラフであり、同図（ａ）は、赤色表示関数における振動回数と光量との関係を示し、同図（ｂ）は、緑色表示関数における振動回数と光量との関係を示し、同図（ｃ）は、青色表示関数における振動回数と光量との関係を示す。
【００９５】
また、図１４は、赤色、緑色、および青色それぞれの表示関数における振動強度と光量との関係の一例を示すグラフであり、同図（ａ）は、赤色表示関数における振動強度と光量との関係を示し、同図（ｂ）は、緑色表示関数における振動強度と光量との関係を示し、同図（ｃ）は、青色表示関数における振動強度と光量との関係を示す。
【００９６】
また、表示設定部２３から、上記変化点情報３１として１７．６という値が設定された場合、赤色、緑色、および青色それぞれの各色の表示関数は下記に示す関係式のようになる。なお、下記式では最大光量を１となるようにし、振動回数を変数ａ、振動強度を変数ｂで表す。
【００９７】
［振動回数］
赤色関数：ｆｒ（ａ）＝０；  ０≦ａ≦１７．６
ｆｒ（ａ）＝ａ／１７．６−１；  １７．６＜ａ≦４０
ｆｒ（ａ）＝１；  ４０＜ａ
緑色関数：ｆｇ（ａ）＝０
青色関数：ｆｂ（ａ）＝ａ／１７．６；  ０＜＝ａ＜＝１７．６
ｆｂ（ａ）＝０；  １７．６＜ａ＜＝∞
［振動強度］
赤色関数：ｆｒ（ｂ）＝０
緑色関数：ｆｇ（ｂ）＝ｘ／４０；  ０＜＝ｂ＜＝４０
ｆｇ（ｂ）＝１；  ４０＜ｂ
青色関数：ｆｂ（ｂ）＝０
（表示データの出力処理）
次に、行動パターン提示装置１において生成した表示データの出力処理を示す処理フローについて図１５を参照して説明する。この図１５は、本発明の実施形態を示すものであり、行動パターン提示装置１における表示データの出力処理の一例を示すフローチャートである。
【００９８】
まず、前提として、表示制御部２４が、表示設定部２３から測定対象者を参照して求められた、上記変化点情報３１を受信しているものとする。
【００９９】
表示制御部２４では、表示設定部２３から受信した変化点情報３１に基づき、該変化点情報３１によって示される位置の前後で表示色が特徴的に変化するように表示色関数を更新する（ステップＳ１１、これ以降ではＳ１１のように称する）。
【０１００】
このように、表示色関数の更新が完了すると、表示制御部２４は表示装置６における所定の描画位置に出力する振動情報１０の検知日時を決定し（Ｓ１２）、該検知日時に対応する振動情報１０（振動回数および振動強度）を取得する（Ｓ１３）。なお、上記所定の描画位置に出力する振動情報１０は、入力部３を通じて評価者から指示された検知日時の振動情報１０であってもよいし、現在の時刻から所定時間さかのぼった日時の振動情報１０であってもよい。
【０１０１】
表示制御部２４は、記憶装置７から振動情報１０を取得すると、該振動情報１０を表示色関数に入力し、振動回数と振動強度との組み合わせにより表示色を決定する。このように表示色が決定されると、決定した表示色を表示する表示データを生成し（Ｓ１４）、出力処理部４に送信する。出力処理部４は、受信した表示データを表示装置６に出力し、表示装置６の所定の描画位置に決定した表示色を表示させる（Ｓ１５）。
【０１０２】
このようにして、決定した表示色を、所定の描画位置に表示させると、表示制御部２４は、表示色の描画が終了か否かを判定する（Ｓ１６）。ここで、表示色の描画が終了していない場合（ステップＳ１６においてＮＯの場合）、すなわち、表示すべき全振動情報１０に対する、表示色関数による演算が終了していない場合、表示した振動情報１０の次に検知された振動情報１０を取得するように、検知日時を更新する（Ｓ１７）。そしてステップＳ１２からの処理を繰り返す。
【０１０３】
一方、表示色の描画が終了していと判定した場合（Ｓ１６において「ＹＥＳ］）、表示制御部２４は出力処理を終了する。
【０１０４】
また、上記表示制御部２４は、表示装置６が有する解像度等の表示性能に応じて、出力する表示データを間引いたり、平均化したり、合成したり、選択したりするなど適宜補正を加える構成とすることができる。
【０１０５】
すなわち、時系列に整列されたｎ番目の振動情報１０をｄ（ｎ），｛ｎ＝０，１，２，３，４，…１０｝とし、１０サンプルから１サンプルだけ表示する場合、表示制御部２４は、間引き操作では、ｄ（１０ｎ），｛ｎ＝０，１，２，３，４，…｝のデータを出力処理部４から出力させ、表示装置６で表示させる。
【０１０６】
また、上記選択操作では、表示制御部２４は、時系列に整列された連続する任意の個数の振動情報１０中から最大値（最小値）を選び取り、表示データに変換して出力する。
【０１０７】
また平均化操作では、表示制御部２４は、時系列に並んだ連続する任意の個数の振動情報１０を平均するまたは移動平均する。
【０１０８】
また、表示制御部２４は、この他、任意のフィルタによって振動情報１０を加工した結果に基づき表示データを生成し出力してもよい。
【０１０９】
このように、本実施の形態に係る行動パターン提示装置１では、表示装置８が有する表示性能に応じて、生成した表示データに対して間引き、合成、選択、平均、またはフィルタ処理を行い、出力処理部４を通じて表示装置８に送信するデータ量を適切に調整することができる。
【０１１０】
また、表示データの出力処理において間引き、または平均化等を行う場合、本実施の形態に係る行動パターン提示装置１は、図１６に示す処理フローとなる。図１６は、本発明の別の実施形態を示すものであり、行動パターン提示装置１における表示データの出力処理の一例を示すフローチャートである。
【０１１１】
すなわち、図１５に示す処理フローにおけるステップＳ１１とステップＳ１２と同様にして、表示制御部２４は表示色関数を更新し（Ｓ２１）、所定の描画位置に描画する振動情報１０の検知日時を決定する（Ｓ２２）。このように決定した振動情報１０を不図示の演算用メモリに格納し（Ｓ２３）、格納した振動情報１０の個数がＮより大きいか否か判定する（Ｓ２４）。Ｎ以上となるまで、時系列の順に振動情報１０を上記演算用メモリに格納していき、演算用メモリにＮ個の振動情報１０が格納されると、このＮ個の振動情報１０を１セットとして、上記した間引き、合成、または選択操作等を行う（Ｓ２５）。
【０１１２】
ステップＳ２５において、間引き、合成、または選択操作等を行った結果に基づき、対応する振動回数と振動強度から表示色を決定し、表示データを生成する（Ｓ２６）。そして、生成した表示データを出力処理部４に送信する。出力処理部４は、表示データを受信すると、表示装置６に出力し、所定の描画位置に表示させる（Ｓ２７）。
【０１１３】
次に、描画が終了か否かを判定し（Ｓ２８）、描画が終了していない場合、表示した振動情報１０のセットの次に検知された振動情報１０を取得するように、検知日時を更新するとともに、演算用メモリに格納した振動情報１０をクリアする（Ｓ２９）。一方、ステップＳ２８の判定において、表示装置６における描画が終了したと判定した場合、表示データの出力処理を終了する。
【０１１４】
以上のようにして、本実施の形態に係る行動パターン提示装置１では、表示制御部２４が、表示設定部２３により設定された変化点情報と、検知した振動情報１０とに基づき、Ｒ、Ｇ，Ｂの光量の変化により色を規定した表示データを生成する。そして、表示制御部２４は、この表示データを出力処理部４に送信し、該出力処理部４によって、該表示データに基づく表示を表示装置６において行う。
【０１１５】
（表示装置における表示形式）
次に、出力処理部４から出力した表示データに基づき、表示装置６において表示される表示形式について図１７を参照して説明する。この図１７は、本実施の形態に係る行動パターン提示装置１における、表示データに基づく表示の一例を示す図である。
【０１１６】
上記出力処理部４によって表示装置６に送信された表示データに基づく表示は、図１７に示すように、横軸方向に一日分の情報を描画し、縦軸方向は日単位で描画する表示形式となるように規定されている。
【０１１７】
例えば、振動情報１０の検出期間が１０秒の場合、１日のデータ数は合計２４（時）×６０（分）×６０（分）／１０（秒）＝８６４０（サンプル）となるので、横方向のデータ数は８６４０個となる。
【０１１８】
ここで、表示装置６の解像度及び表示可能な領域が狭い場合、本実施の形態に係る行動パターン提示装置１は、図１６に示した処理ステップによって、検出した振動情報１０を、間引く、平均化する、合成する、または選択する等の操作により表示させる情報量を減らすことができる。一方、表示装置６が高解像度である場合は、同じ情報を連続させて表示し、そしてスムージング処理を行うこともできる。
【０１１９】
図１７に示す表示例では、横方向において左端が０時０分０秒となり、右端が２３時５９分５９秒となるように設定されている。そして、０時０分０秒に検出された振動情報１０に対応する表示データから描画を開始し、２３時５９分５９秒に検出された振動情報１０に対応する表示データで終了するように並べられる。
【０１２０】
縦方向については、例えば上方から下方に向かって各日の情報が並べられる。数年の期間を表示対象とすれば、人の生活リズムがよりよくわかる。
【０１２１】
なお、図１７では、横軸に沿って、０時０分０秒〜２３時５９分５９秒全ての時間について検出した振動情報１０に対応する表示データを表示する構成であったがこれに限定されるものではない。例えば、測定対象者の就寝時間である０時０分０秒から６時０分０秒までの間に検出した振動情報１０を利用せず、この間の表示を省略し、表示領域を有効的に利用する構成であってもよい。
【０１２２】
また、図１７に示す表示例では、各列ごとが１日分の行動パターンを示すように表示されているがこれに限定されるものではなく、翌日分の行動パターンを同じ列に続けて表示する、すなわち、横軸上に２日分の行動パターンの表示を行う、いわゆるダブルプロット表示方式で表示してもよい。このように、２日分のデータを並べて表示する場合、行動パターンの変化を把握しやすくなる。
【０１２３】
また、図１７に示す表示例では、グラフの端にスライドバーを設置し、該スライドバーに応じて表示を上下方向に移動させることにより任意の表示期間を表示できるようにしている。
【０１２４】
しかしながら、入力部３から表示位置の移動を指示できるように構成されていてもよい。例えば、入力部３が操作ボタンで実現される場合は、該ボタンを押下するなどして所望する表示位置となるように指示する。また、入力部３がマウス等によって実現される場合、表示画面に表示したポイントで表示位置を示し所望する表示位置となるように指示する。
【０１２５】
また、休日と平日では、測定対象者の行動パターンが大きく異なる場合が多いため、休日と平日とを分けて行動パターンの表示を行う構成であってもよい。
【０１２６】
また、この行動パターンを示す表示において、任意にコメントが入力できる、カレンダー表示と連動する、あるいは所望する範囲の縮小または拡大指示を行うことができるといった付随する機能をさらに有していることが好ましい。このような付随する機能を有している場合、表示した行動パターンを評価者がさらに有効的に活用することができる。
【０１２７】
なお、本実施の形態に係る行動パターン提示装置１では、振動回数および振動強度の増減に応じて連続的な値を出力し、該値に応じた色を決定する構成であった。このため、振動回数と振動強度との変動を、連続的な微妙な色の変化で表現する構成であった。
【０１２８】
しかしながら、測定対象者の行動タイプの判定精度が高い場合、すなわち、上記した変化点情報３１によって行動タイプを明確に区別できる場合は、該変化点情報３１によって示される位置の前後で、表示制御部２４は、離散的な値を出力するように表示関数を設定することが好ましい。このように、変化点情報３１の前後で離散的な値を出力する構成の場合、該値に応じて表示する表示データの表示色をはっきり区別することができ行動パターンにおいて行動タイプの相違を明確に提示することができる。
【０１２９】
なお、本実施の形態に係る行動パターン提示装置１では、入力部３が入力画面を備え、入力内容を確認することができる構成であった。しかしながら、入力内容を上記入力画面に表示させる代わりに、表示装置６の表示画面に表示できる構成であってもよい。このように構成される場合、入力部３はこの入力画面を備える必要はない。
【０１３０】
また、本実施の形態に係る行動パターン提示装置１は、振動検出部２と、入力部３と、記憶装置７と、表示装置６と、主制御部５および出力処理部４とが一体となるように構成されているがこれに限定されるものではない。例えば、振動検出部２と、入力部３と、記憶装置７と、表示装置６と、主制御部５および出力処理部４とがそれぞれ無線、有線を問わず通信手段を備え、それぞれが独立した装置であってもよい。
【０１３１】
また、本実施の形態に係る行動パターン提示装置１では、振動強度および振動回数から得た値に応じて、表示関数が色を決定し該色を表示する構成であった。すなわち、表示する色の相違により、振動強度および振動回数の相違を示すことができる構成であった。しかしながら、この振動強度および振動回数の組み合わせを、模様等の変化によって表現する構成であってもよい。この場合、表示関数は、振動回数と振動強度とから得られる値に応じて、例えば、特定の線の太さを変更させる、所定領域内に含まれる点の濃度を変更させる等、出力すべき模様が割り当てられる。
【０１３２】
本実施の形態に係る行動パターン提示装置１では、表示関数が、振動強度と振動回数との組み合わせに応じてＲ、Ｇ、Ｂの光量を変更させる構成であったが、表示関数は、色相、明度、彩度等の他の色を表現する要素の組み合わせを変更させるものであってもよい。
【０１３３】
以上のように、本実施の形態に係る行動パターン提示装置１は、表示設定部２３によって設定された変化点情報３１を利用することにより、特定の行動パターンを示すものとして、振動回数と振動強度とに基づき表示する表示データを目立つ色に変更することができる。このため、評価者は、本実施の形態に係る行動パターン提示装置１によって提示された行動パターンを示すグラフから容易に測定対象者の行動の変化を見分けることができる。
【０１３４】
また、本実施の形態に係る行動パターン提示装置１は、表示関数を用いて決定した色の表示データにより行動態様を明示的に出力できる構成であった。このため、例えば、行動タイプの種類が多数ある場合であっても、出力する色表現を変更させて表示することにより行動タイプを区別することができるため、特に行動タイプごとの表示領域を用意しておく必要がない。
【０１３５】
このため、行動タイプの種類の多少に関わらず、柔軟で直感的に行動パターンを推測できるように提示することができるとともに、一つの表示領域で異なる種類の行動タイプを表現することができる。
【０１３６】
最後に、行動パターン提示装置１の各ブロック、特に主制御部５の振動情報算出部２１、取得部２２、表示設定部２３、および表示制御部２４は、ハードウェアロジックによって構成してもよいし、次のようにＣＰＵを用いてソフトウェアによって実現してもよい。
【０１３７】
すなわち、行動パターン提示装置１は、各機能を実現する制御プログラムの命令を実行するＣＰＵ（central processing unit）、上記プログラムを格納したＲＯＭ（read only memory）、上記プログラムを展開するＲＡＭ（random access memory）、上記プログラムおよび各種データを格納するメモリ等の記録媒体などを備えている。そして、本発明の目的は、上述した機能を実現するソフトウェアである行動パターン提示装置１の制御プログラムのプログラムコード（実行形式プログラム、中間コードプログラム、ソースプログラム）をコンピュータで読み取り可能に記録した記録媒体を、上記行動パターン提示装置１に供給し、そのコンピュータ（またはＣＰＵやＭＰＵ）が記録媒体に記録されているプログラムコードを読み出し実行することによっても、達成可能である。
【０１３８】
上記記録媒体としては、例えば、磁気テープやカセットテープ等のテープ系、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク系、ＩＣカード（メモリカードを含む）／光カード等のカード系、あるいはマスクＲＯＭ／ＥＰＲＯＭ／ＥＥＰＲＯＭ／フラッシュＲＯＭ等の半導体メモリ系などを用いることができる。
【０１３９】
また、行動パターン提示装置１を通信ネットワークと接続可能に構成し、上記プログラムコードを通信ネットワークを介して供給してもよい。この通信ネットワークとしては、特に限定されず、例えば、インターネット、イントラネット、エキストラネット、ＬＡＮ、ＩＳＤＮ、ＶＡＮ、ＣＡＴＶ通信網、仮想専用網（virtual private network）、電話回線網、移動体通信網、衛星通信網等が利用可能である。また、通信ネットワークを構成する伝送媒体としては、特に限定されず、例えば、ＩＥＥＥ１３９４、ＵＳＢ、電力線搬送、ケーブルＴＶ回線、電話線、ＡＤＳＬ回線等の有線でも、ＩｒＤＡやリモコンのような赤外線、Ｂｌｕｅｔｏｏｔｈ（登録商標）、８０２．１１無線、ＨＤＲ、携帯電話網、衛星回線、地上波デジタル網等の無線でも利用可能である。なお、本発明は、上記プログラムコードが電子的な伝送で具現化された、搬送波に埋め込まれたコンピュータデータ信号の形態でも実現され得る。
【０１４０】
本発明は上述した実施形態に限定されるものではなく、請求項に示した範囲で種々の変更が可能である。すなわち、請求項に示した範囲で適宜変更した技術的手段を組み合わせて得られる実施形態についても本発明の技術的範囲に含まれる。
【産業上の利用可能性】
【０１４１】
本発明に係る出力装置は、行動態様に対応する色表示を時系列で示すことで行動態様の変化を視覚的に提示することができる。このため、人の行動態様のように、時系列に逐次変化する測定対象等を記録したものを提示する場合に幅広く利用することができる。
【図面の簡単な説明】
【０１４２】
【図１】本発明の実施形態を示すものであり、行動パターン提示処理に係る行動パターン提示装置の要部構成を示すブロック図である。
【図２】本実施の形態に係る行動パターン提示装置の装着方法の一例を示す図である。
【図３】測定対象から検知した振動回数と振動強度との関係を示すグラフであり、同図（ａ）は、歩行中の測定対象者から検知した振動回数と振動強度との関係を示し、同図（ｂ）は、乗り物に乗車中の測定対象者から検知した振動回数と振動強度との関係を示す。
【図４】測定対象者の行動タイプごとに応じた、振動強度と振動回数との組み合わせの分布を示すグラフである。
【図５】本発明の実施形態を示すものであり、行動パターン提示装置の要部構成を示すブロック図である。
【図６】本実施の形態に係る測定対象者情報の一例を示す図である。
【図７】測定対象者情報として、入力すべき項目と内容とを表示する入力画面の一例を示す図である。
【図８】任意の区間における、振動検出部による検知結果を示すグラフであり、同図（ａ）は、検知結果と振動回数との関係を示し、同図（ｂ）は、検知結果と振動強度との関係を示す。
【図９】本実施の形態に係る行動パターン提示装置が記憶装置に記憶する振動情報の一例を示す図である。
【図１０】本発明の実施形態を示す図であり、表示データ生成処理に係る行動パターン提示装置の要部構成を示す図である。
【図１１】赤色、緑色、および青色それぞれの表示関数における振動回数と光量との関係の一例を示すグラフであり、同図（ａ）は、赤色表示関数における振動回数と光量との関係を示し、同図（ｂ）は、緑色表示関数における振動回数と光量との関係を示し、同図（ｃ）は、青色表示関数における振動回数と光量との関係を示す。
【図１２】赤色、緑色、および青色それぞれの表示関数における振動強度と光量との関係を示すグラフであり、同図（ａ）は、赤色表示関数における振動強度と光量との関係を示し、同図（ｂ）は、緑色表示関数における振動強度と光量との関係を示し、同図（ｃ）は、青色表示関数における振動強度と光量との関係を示す。
【図１３】赤色、緑色、および青色それぞれの表示関数における振動回数と光量との関係の一例を示すグラフであり、同図（ａ）は、赤色表示関数における振動回数と光量との関係を示し、同図（ｂ）は、緑色表示関数における振動回数と光量との関係を示し、同図（ｃ）は、青色表示関数における振動回数と光量との関係を示す。
【図１４】赤色、緑色、および青色それぞれの表示関数における振動強度と光量との関係の一例を示すグラフであり、同図（ａ）は、赤色表示関数における振動強度と光量との関係を示し、同図（ｂ）は、緑色表示関数における振動強度と光量との関係を示し、同図（ｃ）は、青色表示関数における振動強度と光量との関係を示す。
【図１５】本発明の実施形態を示すものであり、行動パターン提示装置における表示データの出力処理の一例を示すフローチャートである。
【図１６】本発明の別の実施形態を示すものであり、行動パターン提示装置における表示データの出力処理の一例を示すフローチャートである。
【図１７】本実施の形態に係る行動パターン提示装置における、表示データに基づく表示の一例を示す図である。
【符号の説明】
【０１４３】
１    行動パターン提示装置（出力装置）
２    振動検出部（検出部）
３    入力部（受け付け手段）
４    出力処理部（出力手段）
６    表示装置（表示部）
７    記憶装置
８    測定対象者情報（特定測定対象者情報）
９    体動情報（行動タイプ情報）
１０  振動情報
２１  振動情報算出部
２２  取得部（受け付け手段）
２３  表示設定部（変化点設定手段）
２４  表示制御部（生成手段）
３１  変化点情報（変化点）
【図１】
2008000283.tif 000003
【図２】
2008000283.tif 000004
【図３】
2008000283.tif 000005
【図４】
2008000283.tif 000006
【図５】
2008000283.tif 000007
【図６】
2008000283.tif 000008
【図７】
2008000283.tif 000009
【図８】
2008000283.tif 000010
【図９】
2008000283.tif 000011
【図１０】
2008000283.tif 000012
【図１１】
2008000283.tif 000013
【図１２】
2008000283.tif 000014
【図１３】
2008000283.tif 000015
【図１４】
2008000283.tif 000016
【図１５】
2008000283.tif 000017
【図１６】
2008000283.tif 000018
【図１７】
2008000283.tif 000019